(57)【要約】【課題】  印字面を紙面など捺印面から適当な距離離しても鮮明な印字像を見ることのできる印鑑を提供することを目的とするものである。【解決手段】  機材部１と透明材料よりなる印材部２とからなり、機材部１内に光源３及び電源４を設置すると共に、印材部２における印字面５の凸部印字表面６とその他の凹部表面７の光透過性に差を持たせて、印字面５から放射される光により捺印面に印字像を投影させる印鑑であって、光源３の周囲に筒状カバー８Ａを設けるか、或いは光源３の周囲或いは前面に細孔のスリット８Ｂを設けると共に、光源３に近接させて印材部２を配置したことを特徴とする投影可能な印鑑を提供するものである。【選択図】  図１
2007076072.tif 000002
【特許請求の範囲】
【請求項１】
機材部と透明材料よりなる印材部とからなり、前記機材部内に光源及び電源を設置すると共に、前記印材部における印字面の凸部印字表面とその他の凹部表面の光透過性に差を持たせて、前記印字面から放射される光により捺印面に印字像を投影させる印鑑であって、前記光源の周囲に筒状カバーを設けるか、或いは前記光源の周囲或いは前面に細孔のスリットを設けると共に、前記光源に近接させて前記印材部を配置したことを特徴とする投影可能な印鑑。
【発明の詳細な説明】
【技術分野】
【０００１】
本発明は、投影可能な印鑑に関し、紙面など捺印面に印字像を投影させることのできる印鑑であって、印字面を捺印面から適当な距離離しても鮮明な印字像を見ることのできる印鑑に関するものである。
【背景技術】
【０００２】
印鑑を用いて、印字の上下を紙面に対して正しく押印することは難しい。
従来、印鑑本体の胴部にカット面や突起を設けて、押印する時の指の感触で天地を調節する方法が良く用いられているが、これは必ずしも充分な効果を示すとは云えない。
【０００３】
そこで印鑑の中に電球を設置して印影を紙上で見えるようにした印鑑が提案されている（例えば、特許文献１参照）。
しかしながら、単に印鑑内に電球を入れただけでは、印字面からの投射光が拡がって印字面を紙面から離すと印字像がぼやけてしまう。
このため、少しでも鮮明な印字像を得ようとすると、今度は印鑑が紙面に近付き過ぎて、印字像が判読できなくなるという不都合があった。
【０００４】
【特許文献１】実開平７−２３５６０号公報
【発明の開示】
【発明が解決しようとする課題】
【０００５】
本発明は、上記従来の問題点を解消し、近付き過ぎず遠過ぎず、印鑑の印字面を捺印面から適当な距離離しても鮮明な印字像を見ることのできる印鑑を提供することを目的とするものである。
【課題を解決するための手段】
【０００６】
請求項１に係る本発明は、機材部と透明材料よりなる印材部とからなり、前記機材部内に光源及び電源を設置すると共に、前記印材部における印字面の凸部印字表面とその他の凹部表面の光透過性に差を持たせて、前記印字面から放射される光により捺印面に印字像を投影させる印鑑であって、前記光源の周囲に筒状カバーを設けるか、或いは前記光源の周囲或いは前面に細孔のスリットを設けると共に、前記光源に近接させて前記印材部を配置したことを特徴とする投影可能な印鑑を提供するものである。
【発明の効果】
【０００７】
本発明によれば、近付き過ぎず遠過ぎず、印鑑の印字面を紙面など捺印面から適当な距離離しても鮮明な印字像を見ることができる。
従って、本発明によれば、印字の上下を紙面など捺印面に対して正しく押印することが容易である。
本発明によれば、押印するために紙面など捺印面に印鑑の印字面を近付けた時、印鑑の印字面と紙面など捺印面との距離がある程度あっても、印鑑の印字面から放射される光によって印字像が紙面など捺印面上に鮮明に投影されるため、その投影像を見ながら、字の位置、方向が正しくなるように指で調整して押印することが可能となる。
【発明を実施するための最良の形態】
【０００８】
請求項１に係る本発明は、投影可能な印鑑に関し、機材部と透明材料よりなる印材部とからなり、前記機材部内に光源及び電源を設置すると共に、前記印材部における印字面の凸部印字表面とその他の凹部表面の光透過性に差を持たせて、前記印字面から放射される光により捺印面に印字像を投影させる印鑑であって、前記光源の周囲に筒状カバーを設けるか、或いは前記光源の周囲或いは前面に細孔のスリットを設けると共に、前記光源に近接させて前記印材部を配置したことを特徴とするものである。
【０００９】
以下、請求項１に係る本発明について、図面を参照しつつ詳細に説明する。
図１は、請求項１に係る本発明の印鑑の１態様を示す説明図である。図中、符号１は機材部、符号２は印材部、符号３は光源、符号４は電源、符号５は印字面、符号６は凸部印字表面、符号７は凹部表面である。符号８Ａは筒状カバーである。また、図２は、細孔のスリット８Ｂの１態様を示す説明図である。
【００１０】
請求項１に係る本発明の印鑑は、機材部１と透明材料よりなる印材部２とからなる。
機材部１と印材部２を合わせた印鑑全体の形状としては、通常使用されている印鑑の形状であれば特に限定されない。図１では、略円筒形状のものを示した。印材部２における印字面５の形としては、円形、楕円形、四角形など、様々な形のものが挙げられる。
この機材部１は、透明であってもよいが透明である必要はなく、むしろ内部が見えないように不透明材料とするのが一般的である。通常は、機材部１の側面に、濃色、例えば黒色等の不透明化被膜を設け、側面を不透明化する。但し、この場合、側面を不透明化しうるものであれば、濃色に限定されるものではない。例えば、側面をアルミ箔などで覆ってもよいし、或いは側面が不透明となるように不透明樹脂等をコーティングしてもよい。
【００１１】
この機材部１内に光源３及び電源４が設置されている。
光源３としては特に限定されるものではないが、スペースをあまり取らない小型のものであって、充分な輝度を有し、消費電力が少なく、寿命の長いものが好ましい。特にＬＥＤは好適である。
光源３用の電源４としては、印鑑に取り付けられる大きさの小型電池が好ましい。
なお、電源のＯＮ−ＯＦＦ用のスイッチ（図示していない）が適宜位置に設けられている。スライド式スイッチ、回転式スイッチ、プッシュ式など形式は限定されない。
【００１２】
一方、印材部２は透明材料よりなるものであり、中実状のものが好ましい。透明であれば材質は特に限定されず、水晶、ガラス、プラスチック（ポリエステル樹脂やアクリル樹脂など）等、多くの透明なものが使用可能である。印材部２の長さは、印鑑の大きさにもよるが、通常、１〜５ｃｍ程度である。なお、印材部２の先端の印字面５の部分は、必要に応じて先細状のテーパー部としておいてもよい。
この印材部２の印字面５には、通常の印鑑と同様に凸部印字表面６と、印字表面以外のその他の凹部表面７とが形成されており、本発明においては、これらも全て透明な材料よりなる。
請求項１に係る本発明においては、前記印材部２における印字面５の凸部印字表面６とその他の凹部表面７の光透過性に差を持たせて、前記印字面５から放射される光により捺印面に印字像を投影させる
ここでその他の凹部表面７というのは、凸部印字表面５、つまり文字部及び枠部分以外の彫った部分を指している。なお、必要に応じて、凸部印字表面６とその他の凹部表面７とを逆にしてもよい。
本発明においては、光を放射させたい部分、例えば凸部印字表面５の表面を磨いておくとよい。要は、印字面５の凸部印字表面６とその他の凹部表面７のいずれかを、光らせるようにするとよい。
【００１３】
印字面５の凸部印字表面６とその他の凹部表面７の光透過性に差を持たせるには、例えば、次に述べる４つの手段のうちのいずれか１以上の手段を採用すれば良い。
１）凸部印字表面６の平滑性をその他の凹部表面７の平滑性より高くする。
２）その他の凹部表面７の平滑性を凸部印字表面６の平滑性より高くする。
３）凹部表面７に光を遮蔽する被膜を設ける。
４）凸部印字表面６に光を遮蔽する被膜を設ける。
【００１４】
ここで凸部印字表面６の光透過性が、他の凹部表面７に較べて高い場合には印字部分（文字部分）が明るくなり、その逆の場合には印字部分が暗くなって、いずれも印字像を発現する。使用場所や使用目的等に応じて、いずれかを適宜選定すればよい。
凸部印字表面６の光透過性が他の凹部表面７より高い場合には、印字に使用するインキとしては着色透明なものが適当である。逆に、凸部印字表面６の光透過性が他の凹部表面７より低い場合には、インキは透明であっても不透明であっても良い。
そのようなインキとしては、染料系のものは勿論のこと、顔料系であっても、速乾性の朱肉として販売されている粒子が細かいものは、光を通しやすいため使用することができる。
【００１５】
光を遮蔽する被膜としては、例えば顔料入りコーティング用樹脂などの不透明材料からなる被膜を用いることができる。
【００１６】
請求項１に係る本発明の印鑑は、以上のようにして印材部２における印字面５の凸部印字表面６とその他の凹部表面７の光透過性に差を持たせて、前記印字面５から放射される光により捺印面に印字像を投影させる印鑑であって、前記光源３の周囲に筒状カバー８Ａを設けるか、或いは前記光源３の周囲或いは前面に細孔のスリット８Ｂを設けると共に、前記光源３に近接させて前記印材部２を配置したことを特徴とするものである。
【００１７】
請求項１に係る本発明においては、このように光源３の周囲に筒状カバー８Ａを設けるか、或いは光源３の周囲或いは前面に細孔のスリット８Ｂを設けると共に、光源３に近接させて印材部２を配置して、光束を点状に絞り、光源３から発する光が出来るだけ印材部２の内部において印鑑の軸（長手方向）に平行に直進し、印字面５に出来るだけ垂直な向きで印字面５から外部に放射されるようにしている。
ここで筒状カバー８Ａ或いは細孔のスリット８Ｂを設けないと、捺印面上に投影される印字像が二重像となったり、リング状の光源像が生じたりして不鮮明なものとなってしまう。
【００１８】
筒状カバー８Ａとしては、光源３の周囲を漏れなくカバーする構造のものが好ましく、通常、光源３の形状に合わせた筒形で不透明材料（例えば、アルミニウムやステンレスなどの金属材料など）からなるものが用いられる。筒状カバー８Ａの先端は、光源３の先端よりごく僅か出る程度としておくことが好ましい。
一方、細孔のスリット８Ｂとしては、板状物の中央に細孔をあけスリットとしたものが用いられる。細孔の大きさは、光源３の外形とほぼ同一か、ごく僅か大きい程度のものである。このような細孔のスリット８Ｂは、光源３の周囲或いは前面（印字面５に向かって前面）に、できるだけ光源３に近接して設けることが必要であり、前記筒状カバー８Ａと同様に、光源の先端より細孔のスリット８Ｂ面がごく僅か出ている程度としておくことが好ましい。
【００１９】
また、請求項１に係る本発明においては、上記したように、光源３に近接させて印材部２を配置することが必要である。
ここで光源３に近接させて印材部２を配置するとは、光源３の先端が、ほぼ印材部２の後面（印字面５と反対の面）と一致する程度まで近接させる趣旨である。そのために、図３に示すように、印材部２の後面（印字面５と反対の面）を半円状などの形状にくりぬき、その中に光源３の少なくとも先端を入れるようにしてもよい。
【００２０】
請求項１に係る本発明においては、このように光源３に近接させて印材部２を配置することが必要である。光源３と印材部２とが近接せず、大きく離れたものであると、中央部に強い光源像が現れて、印字像（印影）が見にくくとなってしまい、好ましくない。光源３から発する光が出来るだけすぐに透明材料よりなる印材部２に入射するようにするとよい。
【００２１】
本発明の印鑑は、以上の如きものである。
以上の如き請求項１に係る本発明の印鑑を使用している状態を図４に示す。このときの印鑑と印字像（印影）との距離は２．５ｃｍである。
図５は、比較のために作成した印鑑を使用している状態を示す写真像図である。具体的には、筒状カバー８Ａや細孔のスリット８Ｂを設けず、しかも光源３と１ｃｍ離れて印材部５を配置した印鑑を使用している状態を示す写真像図である。
図４と図５の対比により、本発明によれば、印鑑の印字面を紙面など捺印面から適当な距離、例えば２乃至４ｃｍ程度離しても鮮明な印字像を見ることができることが分かる。
【産業上の利用可能性】
【００２２】
本発明によれば、印鑑の印字面を紙面など捺印面から適当な距離、例えば２乃至４ｃｍ程度離しても鮮明な印字像を見ることができる。
従って、本発明によれば、印字の上下を紙面など捺印面に対して正しく押印することが容易である。
本発明によれば、押印するために紙面など捺印面に印鑑の印字面を近付けた時、印字面と紙面など捺印面との距離がある程度あっても印字面から放射される光によって印字像が紙面など捺印面上に鮮明に投影されるため、その投影像を見ながら、字の位置、方向が正しくなるように指で調整して押印することが可能となる。
それ故、本発明は、印鑑分野において有効に利用することができる。
【図面の簡単な説明】
【００２３】
【図１】請求項１に係る本発明の印鑑の１態様を示す説明図である。
【図２】細孔のスリット８Ｂの１態様を示す説明図である。
【図３】印材部２の後面（印字面５と反対の面）を半円状にくりぬき、その中に光源３を入れるようにした状態を示す説明図である。
【図４】請求項１に係る本発明の印鑑を使用している状態を示す説明図である。
【図５】比較のために作成した印鑑を使用している状態を示す説明図である。
【符号の説明】
【００２４】
１  機材部
２  印材部
３  光源
４  電源
５  印字面
６  凸部印字表面
７  凹部表面
８Ａ  筒状カバー
８Ｂ  細孔のスリット
【図１】
2007076072.tif 000003
【図２】
2007076072.tif 000004
【図３】
2007076072.tif 000005
【図４】
2007076072.tif 000006
【図５】
2007076072.tif 000007